【事件の表示】
　特願２００４−５３５００１「光起電活性層および有機性光起電素子の処理方法」拒絶査定不服審判事件〔平成１６年　３月２５日国際公開、ＷＯ２００４／０２５７４６、平成１７年１２月１５日国内公表、特表２００５−５３８５５５〕について、次のとおり審決する。
【結　論】
　本件審判の請求は、成り立たない。
【理　由】
１　手続の経緯・本願発明
　本願は、平成１５年９月３日（パリ条約による優先権主張　平成１４年９月５日、ドイツ連邦共和国）を国際出願日とする出願であって、平成２２年３月２３日付けで手続補正がなされ、同年１０月１９日付けで拒絶査定がなされ、これに対し、平成２３年２月２８日付けで拒絶査定不服審判請求がなされるとともに、これと同時に手続補正がなされたものである。
　
　そして、本願の請求項に係る発明は、平成２３年２月２８日付け手続補正による補正後の明細書、特許請求の範囲及び図面の記載からみて、特許請求の範囲の請求項１乃至９に記載された事項によって特定されるものと認められるところ、請求項２に係る発明は次のとおりのものと認められる。
　
　「溶媒およびアニーリングによって光起電活性層を処理する方法であって、前記光起電活性層を溶媒の存在下、７０℃以上の温度においてアニーリングすることによって、前記光起電活性層を溶媒分子に接触させるとともに加熱することを特徴とし、前記光起電活性層はポリアルキルチオフェンを含む方法であって、前記光起電活性層は、フラーレン、特にメタノフラーレンなどの添加物とともに、混合物中に存在するポリアルキルチオフェンであることを特徴とする方法。」（以下「本願発明」という。）
　
２　引用刊行物
　原査定の拒絶の理由に引用された、本願の優先日前に頒布された刊行物である特開平９−７４２３８号公報（以下「引用刊行物」という。）には、図とともに以下の事項が記載されている。
　
　「【０００６】
本発明は、有機溶媒に可溶な高分子材料を光伝導性膜として用いる安価で高感度の受光素子、すなわち光電流倍増素子を提供しようとするものである。
【０００７】
【課題を解決するための手段】本発明によれば、導電性基板と電極との間に光伝導性膜を挟持してなる光電流増倍素子であって、光伝導性膜として、閉殻構造を有するクラスター状炭素を添加した正孔輸送能を持つ導電性高分子からなる膜を用いたことを特徴とする光電流増倍素子が提供される。
【０００８】本発明者らは、正孔輸送能を持つ導電性高分子の１種であるポリビニルカルバゾールに閉殻構造を有するクラスター状炭素をドーピングした光伝導薄膜を金電極とインジウム・スズ酸化物（ＩＴＯ）透明電極で挟持した光伝導素子を作製し、その素子の特性を評価した結果、有機材料を用いた素子としては極めて珍しく、高分子材料を用いた素子としては初めて光電流量子効率が１００倍を越える高い光電流増倍現象を観測した。これは、光照射時に光伝導体薄膜中の閉殻構造を有するクラスター状炭素に電子がトラップされることにより、電極と光伝導体薄膜との界面に高電界がかかり、電極から光伝導体膜にホールが大量に注入される現象であることが分かっている。
【０００９】正孔輸送能を持つ導電性高分子としては、成形加工性良好な導電性高分子が望ましく、通常１,０００〜１０,０００,０００、好ましくは１,０００〜１,０００,０００の重量平均分子量を有するものが望ましい。導電性高分子の例として、ポリビニルカルバゾール、ポリアルキルチオフェン、ポリメチルフェニルシランなどが挙げられる。
【００１０】導電性高分子として、正孔輸送能を有する導電性高分子を用いる場合、閉殻構造を有するクラスター状炭素を導電性高分子に混入することにより、優れた光伝導特性が現れる。この優れた光伝導体薄膜と電極とを組み合わせた光伝導素子においては、一定電界下において光照射時に光キャリアが生成した場合、閉殻構造を有するクラスター状炭素に電子がトラップされることによって、光伝導薄膜と電極と界面に高電界がかかり、ホールが電極から注入されることによって光電流量子効率が１を越えることが可能となる。したがって、光電流増倍現象を発現させるためには、光伝導薄膜と電極との界面付近にクラスター状炭素が存在する必要がある。
【００１１】本発明の光電流倍増素子に用いる電極としては、従来の光伝導素子に使用されている電極、例えば金属、金属酸化物、無機半導体、有機半導体などの電極が用いられる。光入射面側の電極の光透過率は、８０％以上であることが特に好ましい。そのような高い光透過率を有する電極としては、インジウム錫酸化物（ＩＴＯ）が例示できる。
【００１２】閉殻構造を有するクラスター状炭素は、通称フラーレンと呼ばれ、Ｃ60、Ｃ70、Ｃ84などを含み、一般にＣｘで表される。フラーレンは大きなイオン化ポテンシャルを持ち、かつ安定であるだけでなく有機溶媒にも可溶であり、性能、取り扱いに優れた電子吸引性物質であり、電子吸引能力に優れている。
【００１３】導電性高分子にクラスター状炭素を配合する方法は、特に限定されないが、例えば導電性高分子とクラスター状炭素を有機溶媒中に溶解し、その後、有機溶媒を除去する方法；導電性高分子を溶解させた有機溶媒とクラスター状炭素を溶解させた有機溶媒とを混合し、その後、有機溶媒を除去する方法；導電性高分子とクラスター状炭素を共蒸着させる方法などがある。
【００１４】上記の方法で使用される有機溶媒の例として、芳香族炭化水素（例えば、ベンゼン、トルエンなど）、テトラヒドロフラン、ハロゲン化炭化水素（例えば、クロロホルム、ジクロロメタン、ジクロロエタンなど）が好ましく用いられる。」
　
　上記記載を総合すると、引用刊行物には、以下の発明（以下「引用発明」という。）が記載されていると認められる。
　
　「光伝導性膜として、フラーレンと呼ばれる、閉殻構造を有するクラスター状炭素を添加した正孔輸送能を持つ導電性高分子からなる膜を用いた光電流増倍素子であって、導電性高分子の例として、ポリアルキルチオフェンが挙げられる、光電流増倍素子。」
　
３　対比・判断
　本願発明と引用発明を対比する。
　引用発明の「光伝導性膜」は、「フラーレンと呼ばれる、閉殻構造を有するクラスター状炭素を添加した正孔輸送能を持つ導電性高分子からな」り、「導電性高分子の例として、ポリアルキルチオフェンが挙げられる」ものであるから、本願発明の「（ポリアルキルチオフェンを含み、フラーレン、特にメタノフラーレンなどの添加物とともに、混合物中に存在するポリアルキルチオフェンである）光起電活性層」に相当する。
　
　したがって、本願発明の「（溶媒およびアニーリングによって処理される）光起電活性層」と引用発明の「光伝導性膜」とは、
　
　「ポリアルキルチオフェンを含み、フラーレン、特にメタノフラーレンなどの添加物とともに、混合物中に存在するポリアルキルチオフェンである、光起電活性層。」
　
である点で一致し、次の点で相違する。
　
相違点
　本願発明は、「光起電活性層を処理する方法」であって、前記光起電活性層を溶媒の存在下、７０℃以上の温度においてアニーリングすることによって、前記光起電活性層を溶媒分子に接触させるとともに加熱するものであるのに対し、引用発明は、「光起電活性層（光伝導性膜）」に関するものであって、それを処理する方法ではない点。
　
　上記相違点につき検討する。
　
　光起電活性層のスペクトルを長波長側へ変化させ、その効率の向上を目的として、光起電活性層を溶媒分子に接触させる光起電活性層の処理方法、及び、７０℃以上の温度においてアニーリングする光起電活性層の処理方法は、いずれも本願の優先日時点で周知である（例えば、特開平７−７４３７７号公報の【００２３】の記載、特開昭６３−１６６７９号公報の第５頁左上欄第４行乃至第１９行の記載、特開平５−１５２５９４号公報の【００２７】の記載を参照。）。
　
　してみれば、引用発明に接した当業者が、光電流増倍素子の高効率化等を目的として、上記光起電活性層を溶媒分子に接触させる光起電活性層の処理方法、及び、７０℃以上の温度においてアニーリングする光起電活性層の処理方法を採用することは当業者が必要に応じて適宜なし得ることである。そして、光起電活性層を溶媒の存在下、７０℃以上の温度においてアニーリングするようにして、溶媒処理とアニーリングと同時に行うようにすることに格別の困難があるものとは認められない。また、本願発明において、７０℃以上の温度においてアニーリングを溶媒の存在下で行う点に格別の意義があるものとも認められない。
　
　したがって、本願発明は、引用発明及び周知技術に基づいて、当業者が容易に発明をすることができたものである。
　
４　むすび
　以上のとおり、本願発明は、引用刊行物に記載された発明及び周知技術に基づいて当業者が容易に発明をすることができたものであるから、特許法第２９条第２項の規定により特許を受けることができない。
　
　よって、結論のとおり審決する。